【事件の表示】
　平成　９年特許願第１２６９６２号「高分子化合物を含有するリポソーム外用剤」拒絶査定に対する審判事件［平成１０年１２月　２日出願公開、特開平１０−３１６５５５］について、次のとおり審決する。
【結　論】
　本件審判の請求は、成り立たない。
【理　由】
　　　　　　　　　　　　　　　
１．手続の経緯
　本願は、平成９年５月１６日の出願であって、平成１３年５月２３日付で拒絶査定がなされ、これに対し、同年７月３日に拒絶査定に対する審判請求がなされるとともに、同年７月９日付で手続補正がなされたものである。
　
２．平成１３年７月９日付の手続補正についての補正却下の決定
　　　　　　　　　　　　　
［補正却下の決定の結論］
　　平成１３年７月９日付の手続補正を却下する。
　　　　　　　　　　　　　　
［理由］
（１）補正後の本願発明
　本件補正により、特許請求の範囲の請求項１は、
「少なくとも、脂溶性薬物として脂溶性ビタミン類を含有するリポソーム及び該リポソームの外部に存在する高分子化合物からなり、該高分子化合物がメチルセルロース、ヒドロキシプロピルセルロース、ヒドロキシエチルセルロースおよびヒドロキシプロピルメチルセルロースよりなる群から選択される１種以上のもので、該高分子化合物によって該脂溶性薬物の該リポソ?ムへの保持率が高められていることを特徴とする外用剤。」
と補正された。
　　　　　　　　　　　　　　　　　　　
　上記補正は、請求項１に記載した発明を特定するために必要な事項である「脂溶性薬物を含有するリポソーム」について「脂溶性薬物として脂溶性ビタミン類を含有するリポソーム」との限定を付加し、同じく「該リポソームの外部に存在する高分子化合物」について「該高分子化合物がメチルセルロース、ヒドロキシプロピルセルロース、ヒドロキシエチルセルロースおよびヒドロキシプロピルメチルセルロースよりなる群から選択される１種以上のもので」あるとの限定を付加するものであって、特許法第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（特許法第１７条の２第５項において準用する同法第１２６条第４項の規定に適合するか）について以下に検討する。
　
（２）引用文献
Ａ．特開平０７ー３０９７５４号公報
Ｂ．特表昭６１ー５０１６８６号公報
Ｃ．特開昭６４ー０４７４４３号公報
Ｄ．特開平０２ー１８４３３６号公報
Ｅ．特開平０８ー２３１４２８号公報
１．特表平０８ー５０９７１５号公報
２．特開平０７ー０４８２４７号公報
３．特開平０７ー３０９７４０号公報　　
４．特開平０６ー０１６５３６号公報
５．特開昭５６ー１３５４１６号公報
６．特表平０７ー５０３９５２号公報
７．特表平０７ー５０３９５３号公報
８．特開昭６２ー２１５５１３号公報
９．特開平０９ー１１０６６９号公報
１０．特表平０４ー５０１４１０号公報
　　　　　　　　　　　　　　　
（３）対比・判断
＜新規性について＞
　引用文献Ａ（段落0068の例３参照）には、αートコフェロールを含むリポソーム製剤に更にヒドロキシプロピルセルロースのようなゲル化剤を配合すること、この組成物は美容学又は皮膚科学上の疾病の治療に使用することができることが記載されている。 補正後の請求項１に記載された外用剤と上記引用文献Ａの外用剤とを対比すると、後者の組成物が外用剤として使用されることは自明であるから、両者は、「少なくとも、脂溶性薬物として脂溶性ビタミン類を含有するリポソーム及び該リポソームの外部に存在する高分子化合物からなり、該高分子化合物がヒドロキシプロピルセルロースである外用剤」である点で一致し、前者は、該高分子化合物によって該脂溶性薬物の該リポソームへの保持率が高められているとされているのに対し、後者ではその点についての記載がない点で相違する。
　しかしながら、上記相違点は特定の高分子化合物をリポソーム外部に存在させたことの作用効果であって、該高分子化合物の使用によって当然にもたらされるものであるから、引用文献Ａの外用剤もヒドロキシプロピルセルロースが少なくともリポソーム外部に存在する以上、当然に脂溶性薬物の保持率が高められているはずのものである。
 したがって、上記の点は実質的な相違点とすることはできず、請求項１に記載された発明は引用文献Ａに記載された発明と同一のものである。
　なお、リポソームは水又は緩衝液中で保存された場合、貯蔵中に凝集又は融合しやすく、サイズの変化、内封薬剤の外水層への漏れ出しなどが生ずることや、これをゼラチンやセルロース類、でんぷんなどの炭水化物、ポリアクリレート類などゲル内で保存すると安定性が向上することは周知（引用文献Ｂ〜Ｄ）であるから、請求項１に記載の発明は、引用文献Ａの外用剤として使用する組成物において高分子化合物によりもたらされる周知のリポソームの安定化効果を単に確認したにすぎないものということができ、この点からも別異の発明を創作したということはできない。
　以上の理由により、本件出願の請求項１に係る発明は、その出願前日本国内または外国において頒布された上記に指摘の刊行物に記載された発明であるから、特許法第２９条第１項第３号に該当し、特許を受けることができない。
＜進歩性について＞　　　　　　　　　　　　　
　引用文献１〜３、８〜１０には、脂溶性ビタミンを含有するリポソームをゲル化剤（ポリアクリル酸、カルボキシメチルセルロース、カルボキシビニル重合体などの高分子化合物）を含む分散液と混合し外用剤とすることが記載されている。
　補正後の請求項１に記載された外用剤と上記引用文献の外用剤とを対比すると、両者は、少なくとも、脂溶性薬物として脂溶性ビタミン類を含有するリポソーム及び該リポソームの外部に存在する高分子化合物からなる外用剤である点で一致し、前者では、該高分子化合物がメチルセルロース、ヒドロキシプロピルセルロース、ヒドロキシエチルセルロース・・よりなる群から選択される１種以上のものである点が特定され、該高分子化合物によって該脂溶性薬物の該リポソームへの保持率が高められているとされているのに対し、後者では使用する高分子化合物が相違し、かつ薬物保持率についての記載がない点で相違する。
　　　　　　　　　　　　　　　
　しかしながら、リポソームは水又は緩衝液中で保存された場合貯蔵中に凝集又は融合しやすく、サイズの変化、内封薬剤の外水層への漏れ出しなどが生ずることや、これをゼラチンやセルロース類、でんぷんなどの炭水化物、ポリアクリレート類などゲル内で保存すると安定性が向上することは周知（引用文献Ｂ〜Ｄ）であるから、リポソーム外部に存在するゲル化剤がリポソームに内封された薬剤の保持率向上に寄与することは当業者が当然に予測し、期待するところであり、また、ヒドロキシプロピルセルロース、ヒドロキシエチルセルロース等のセルロース誘導体は引用文献４〜７、引用文献Ａ，Ｅに見られるようにゲル化剤として周知のものであるから、これを脂溶性ビタミンを含有するリポソームを含有する外用剤に配合するゲル化剤として採用することは当業者が容易に想到しうることである。
　　　　　　　　　　　
　請求項２、８、９は、各々、さらにその成分をビタミンＥに、性状を液状又は半固状に、用途を皮膚保護剤又は治療剤と限定するものであるが、これらの点もすでに引用文献１〜３，８〜１０に開示されている。
　請求項３は更にグリチルレチン酸を含有するものであるが、かかる物質は皮膚外用剤添加成分として周知のものである。
　請求項４〜７は成分含量を特定しているが、各成分につき配合量を検討し、最適な量を決定することは当業者が通常行うことである。
　請求項１０，１１はリポソーム外用剤の製造方法に関する発明であるが、薬物を含有したリポソームをゲル化剤含有基剤と混合することも製剤上の常法であり、格別の創意を要しないものである。
　　
　以上のとおり、補正後の本件出願の請求項１〜１１に係る発明は、その出願前日本国内または外国において頒布された上記に指摘の刊行物に記載された発明に基づいて、その出願前にその発明の属する技術の分野における通常の知識を有する者が容易に発明をすることができたものであるから、特許法第２９条第２項の規定により特許を受けることができない。
　　　　　　　　　　　
　したがって、平成１３年７月９日付け手続補正により補正された特許請求の範囲（請求項１〜１１）に記載されている事項により特定される発明は、新規性、進歩性を欠き独立して特許を受けることができないものであるから、特許法１５９条で読み替えて準用する第５３条の規定により却下すべきものである。
　　　　　　　　　　　　　　
３．本願発明について
　平成１３年７月９日付の手続補正は上記のとおり却下されたので、本願の特許請求の範囲の請求項１〜１７に係る発明のうち請求項１に係る発明（以下、同項記載の発明を「本願発明」という。）は、平成１２年７月２５日付手続補正書の特許請求の範囲の請求項１に記載された事項により特定される以下のとおりのものである。
　「少なくとも、脂溶性薬物を含有するリポソーム及び該リポソームの外部に存在する高分子化合物からなり、該高分子化合物によって該脂溶性薬物の該リポソームへの保持率が高められていることを特徴とする外用剤。」
　
（１）引用例
　原査定の拒絶の理由に引用された引用例は上記の２（２）で示した１〜１０の文献である。
　
（２）対比・判断
　本願発明は、前記２．で検討した本願補正発明から「脂溶性薬物」の限定事項である「脂溶性薬物として脂溶性ビタミン類を含有する」との構成を省き、「該リポソームの外部に存在する高分子化合物」の限定事項である「該高分子化合物がメチルセルロース、ヒドロキシプロピルセルロース、ヒドロキシエチルセルロースおよびヒドロキシプロピルメチルセルロースよりなる群から選択される１種以上のもの」との構成を省いたものである。
　そうすると、本願発明の構成要件を全て含み、さらに他の構成要件を付加したものに相当する本願補正発明が、前記２．（３）＜進歩性＞の項で記載したとおり、引用例１〜１０、及び周知技術（引用例Ａ〜Ｅ参照）に基づいて、当業者が容易に発明をすることができたものであるから、本願発明も、同様の理由により、当業者が容易に発明をすることができたものである。
　
（３）むすび
　以上のとおり、本願発明は、引用例１〜１０に記載された発明、及び周知技術に基づいて、当業者が容易に発明をすることができたものであるから、特許法第２９条第２項の規定により特許を受けることができない。
　よって、結論のとおり審決する。